【手続補正書】
【提出日】平成18年1月23日(2006.1.23)
【手続補正１】
【補正対象書類名】明細書
【補正対象項目名】発明の名称
【補正方法】変更
【補正の内容】
【発明の名称】印刷システム、印刷管理装置、情報処理装置、およびそれらの制御方法、記憶媒体
【手続補正２】
【補正対象書類名】明細書
【補正対象項目名】特許請求の範囲
【補正方法】変更
【補正の内容】
【特許請求の範囲】
【請求項１】  ネットワークを介して、情報処理装置と、印刷管理装置と、印刷装置が接続された印刷システムであって、
前記情報処理装置は、特定コマンドを含む印刷ジョブを印刷管理装置へ送信するジョブ送信手段と、
表示手段とを有し、
前記印刷装置は、前記印刷管理装置から前記印刷ジョブを受信するジョブ受信手段と、
前記ジョブ受信手段が受信した印刷ジョブに特定コマンドが含まれるかを判別する判別手段と、
前記印刷装置の特定の状態を検知する検知手段と、
前記判別手段により前記印刷ジョブに前記特定コマンドが含まれると判別された場合には前記印刷装置を一時停止状態にする印刷制御手段と、
前記印刷管理装置は、前記印刷装置の一時停止状態を取得する状態取得手段と、
前記状態取得手段により前記印刷装置の印刷一時停止状態を取得した場合に前記情報処理装置に通知する通知手段とを有し、
前記情報処理装置は、前記通知を受けた時に、前記表示手段にユーザの対するメッセージを表示し、
前記印刷装置は、前記検知手段により前記特定の状態が検知された場合には前記印刷装置の一時停止状態を解除することを特徴とする印刷システム。
【請求項２】  前記特定コマンドとは手差し給紙コマンドであることを特徴とする請求項１に記載の印刷システム。
【請求項３】  前記特定コマンドとは前記印刷装置の一時停止を指定するコマンドであることを特徴とする請求項１に記載の印刷システム。
【請求項４】  前記検知手段が検知する前記特定の状態とは、前記印刷装置の手差し給紙トレイに用紙が置かれたかどうかであることを特徴とする請求項１に記載の印刷システム。
【請求項５】  複数の情報処理装置及び印刷装置にネットワークを介して通信可能な印刷管理装置であって、
前記印刷装置の状態情報を取得する情報取得手段と、
前記情報取得手段により取得された前記印刷装置の状態情報が印刷一時停止状態である場合に、前記複数の情報処理装置から前記印刷装置への印刷要求に係るジョブ情報に基づいて、前記印刷装置からの情報を通知する情報処理装置を決定する決定手段と、
前記決定手段により決定された情報処理装置に前記印刷装置が印刷一時停止状態であることを通知する通知手段と、
を備えることを特徴とする印刷管理装置。
【請求項６】  前記情報取得手段は、前記印刷装置が受信した印刷データに関する情報及び前記印刷装置の状態情報を取得することを特徴とする請求項５に記載の印刷管理装置。
【請求項７】  前記ジョブ情報に基づいて、印刷順序を制御する順序制御手段を備えることを特徴とする請求項５または６に記載の印刷管理装置。
【請求項８】  前記順序制御手段により前記印刷装置に印刷データを送出可能であると判断した場合に、該印刷データを前記印刷装置に送出可能であることを、前記ジョブ情報を送信した情報処理装置に指示する送出可能指示手段とを備えることを特徴とする請求項７に記載の印刷管理装置。
【請求項９】  情報処理装置から受信した手差しコマンドを含むジョブを印刷装置へ送信する送信手段と、
前記印刷装置が印刷一時停止状態になった場合に、前記印刷装置のジョブ情報を取得する取得手段と、
前記取得手段により取得した前記印刷装置のジョブ情報に基づき前記情報処理装置に前記印刷装置の一時停止状態を通知する通知手段とを有することを特徴とする印刷管理装置。
【請求項１０】  前記通知手段は、前記取得手段により取得したジョブ情報に含まれるＩＰアドレスのクライアントに前記取得手段により取得したジョブ情報に含まれるジョブ名の通知を行うことを特徴とする請求項９に記載の印刷管理装置。
【請求項１１】  前記情報処理装置から受信したジョブは、印刷データを含まず、前記情報処理装置から受信したジョブの印刷データは情報処理装置から印刷装置に送信されることを特徴とする請求項９に記載の印刷管理装置。
【請求項１２】  前記取得手段は、印刷装置からジョブ情報を取得することを特徴とする請求項９に記載の印刷管理装置。
【請求項１３】  手差しコマンドを含むジョブを印刷管理装置へ送信する送信手段と、
印刷管理装置からの通知を受信する受信手段とを有し、
前記印刷管理装置は、印刷装置が印刷一時停止状態になった場合に、前記印刷装置のジョブ情報を取得し、取得した印刷装置のジョブ情報に基づいて前記情報処理装置に前記印刷装置の一時停止状態を前記受信手段に通知することを特徴とする情報処理装置。
【請求項１４】  前記受信手段が前記印刷管理装置から受信する通知は、前記印刷管理装置が前記印刷装置から取得したジョブ情報に含まれるＩＰアドレスの情報処理装置に対する、前記取得したジョブ情報に含まれるジョブ名の通知であることを特徴とする請求項１３に記載の情報処理装置。
【請求項１５】  前記印刷管理装置へ送信するジョブは、印刷データを含まず、前記ジョブの印刷データは情報処理装置から印刷装置に送信することを特徴とする請求項１３に記載の情報処理装置。
【請求項１６】  印刷管理装置及び印刷装置にネットワークを介して通信可能な情報処理装置であって、
前記印刷管理装置から通知された前記印刷装置に関する状態情報を受信する通知受信手段と、
アプリケーションからの印刷要求を受けて、前記印刷装置で印刷すべき印刷データを生成する生成手段と、
前記生成手段により生成された印刷データを前記印刷装置で印刷する際に、前記通知受信手段から受信した状態情報が印刷一時停止状態である場合に、該印刷要求を発行したアプリケーションに対してイベントを発行するイベント発行手段とを備えることを特徴とする情報処理装置。
【請求項１７】  ネットワークを介して、情報処理装置と、印刷管理装置と、印刷装置が接続された印刷システムの制御方法であって、
前記情報処理装置は、特定コマンドを含む印刷ジョブを印刷管理装置へ送信するジョブ送信工程と、
表示手段とを有し、
前記印刷装置は、前記印刷管理装置から前記印刷ジョブを受信するジョブ受信工程と、
前記ジョブ受信工程が受信した印刷ジョブに特定コマンドが含まれるかを判別する判別工程と、
前記印刷装置の特定の状態を検知する検知手段と、
前記判別工程により前記印刷ジョブに前記特定コマンドが含まれると判別された場合には前記印刷装置を一時停止状態にする印刷制御工程と、
前記印刷管理装置は、前記印刷装置の一時停止状態を取得する状態取得工程と、
前記状態取得工程により前記印刷装置の印刷一時停止状態を取得した場合に前記情報処理装置に通知する通知工程とを有し、
前記情報処理装置は、前記通知を受けた時に、前記表示手段にユーザの対するメッセージを表示し、
前記印刷装置は、前記検知手段により前記特定の状態が検知された場合には前記印刷装置の一時停止状態を解除することを特徴とする印刷システムの制御方法。
【請求項１８】  前記特定コマンドとは手差し給紙コマンドであることを特徴とする請求項１７に記載の印刷システムの制御方法。
【請求項１９】  前記特定コマンドとは前記印刷装置の一時停止を指定するコマンドであることを特徴とする請求項１７に記載の印刷システムの制御方法。
【請求項２０】  前記検知手段が検知する前記特定の状態とは、前記印刷装置の手差し給紙トレイに用紙が置かれたかどうかであることを特徴とする請求項１７に記載の印刷システムの制御方法。
【請求項２１】  複数の情報処理装置及び印刷装置にネットワークを介して通信可能な印刷管理装置の制御方法であって、
前記印刷装置の状態情報を取得する情報取得工程と、
前記情報取得工程により取得された前記印刷装置の状態情報が印刷一時停止状態である場合に、前記複数の情報処理装置から前記印刷装置への印刷要求に係るジョブ情報に基づいて、前記印刷装置からの情報を通知する情報処理装置を決定する決定工程と、
前記決定工程により決定された情報処理装置に前記印刷装置が印刷一時停止状態であることを通知する通知工程と、
を備えることを特徴とする印刷管理装置の制御方法。
【請求項２２】  前記情報取得工程は、前記印刷装置が受信した印刷データに関する情報及び前記印刷装置の状態情報を取得することを特徴とする請求項２１に記載の印刷管理装置の制御方法。
【請求項２３】  前記ジョブ情報に基づいて、印刷順序を制御する順序制御工程を備えることを特徴とする請求項２１または２２に記載の印刷管理装置の制御方法。
【請求項２４】  前記順序制御工程により前記印刷装置に印刷データを送出可能であると判断した場合に、該印刷データを前記印刷装置に送出可能であることを、前記ジョブ情報を送信した情報処理装置に指示する送出可能指示工程とを備えることを特徴とする請求項２３に記載の印刷管理装置の制御方法。
【請求項２５】  情報処理装置から受信した手差しコマンドを含むジョブを印刷装置へ送信する送信工程と、
前記印刷装置が印刷一時停止状態になった場合に、前記印刷装置のジョブ情報を取得する取得工程と、
前記取得工程により取得した前記印刷装置のジョブ情報に基づき前記情報処理装置に前記印刷装置の一時停止状態を通知する通知工程とを有することを特徴とする印刷管理装置の制御方法。
【請求項２６】  前記通知工程は、前記取得工程により取得したジョブ情報に含まれるＩＰアドレスのクライアントに前記取得工程により取得したジョブ情報に含まれるジョブ名の通知を行うことを特徴とする請求項２５に記載の印刷管理装置の制御方法。
【請求項２７】  前記情報処理装置から受信したジョブは、印刷データを含まず、前記情報処理装置から受信したジョブの印刷データは情報処理装置から印刷装置に送信されることを特徴とする請求項２５に記載の印刷管理装置の制御方法。
【請求項２８】  前記取得工程は、印刷装置からジョブ情報を取得することを特徴とする請求項２５に記載の印刷管理装置の制御方法。
【請求項２９】  手差しコマンドを含むジョブを印刷管理装置へ送信する送信工程と、
印刷管理装置からの通知を受信する受信工程とを有し、
前記印刷管理装置は、印刷装置が印刷一時停止状態になった場合に、前記印刷装置のジョブ情報を取得し、取得した印刷装置のジョブ情報に基づいて前記情報処理装置に前記印刷装置の一時停止状態を前記受信工程に通知することを特徴とする情報処理装置の制御方法。
【請求項３０】  前記受信工程が前記印刷管理装置から受信する通知は、前記印刷管理装置が前記印刷装置から取得したジョブ情報に含まれるＩＰアドレスの情報処理装置に対する、前記取得したジョブ情報に含まれるジョブ名の通知であることを特徴とする請求項２９に記載の情報処理装置の制御方法。
【請求項３１】  前記印刷管理装置へ送信するジョブは、印刷データを含まず、前記ジョブの印刷データは情報処理装置から印刷装置に送信することを特徴とする請求項２９に記載の情報処理装置の制御方法。
【請求項３２】  印刷管理装置及び印刷装置にネットワークを介して通信可能な情報処理装置の制御方法であって、
前記印刷管理装置から通知された前記印刷装置に関する状態情報を受信する通知受信工程と、
アプリケーションからの印刷要求を受けて、前記印刷装置で印刷すべき印刷データを生成する生成工程と、
前記生成工程により生成された印刷データを前記印刷装置で印刷する際に、前記通知受信工程から受信した状態情報が印刷一時停止状態である場合に、該印刷要求を発行したアプリケーションに対してイベントを発行するイベント発行工程とを備えることを特徴とする情報処理装置の制御方法。
【請求項３３】  請求項１７乃至３２のいずれか１項に記載の制御方法を実行するプログラムを記憶したコンピュータで読み取り可能な記憶媒体。
【手続補正３】
【補正対象書類名】明細書
【補正対象項目名】００１０
【補正方法】変更
【補正の内容】
【００１０】
【課題を解決するための手段】
本発明の一態様に係る印刷システムは以下のような構成を備える。即ち、
ネットワークを介して、情報処理装置と、印刷管理装置と、印刷装置が接続された印刷システムであって、
前記情報処理装置は、特定コマンドを含む印刷ジョブを印刷管理装置へ送信するジョブ送信手段と、
表示手段とを有し、
前記印刷装置は、前記印刷管理装置から前記印刷ジョブを受信するジョブ受信手段と、
前記ジョブ受信手段が受信した印刷ジョブに特定コマンドが含まれるかを判別する判別手段と、
前記印刷装置の特定の状態を検知する検知手段と、
前記判別手段により前記印刷ジョブに前記特定コマンドが含まれると判別された場合には前記印刷装置を一時停止状態にする印刷制御手段と、
前記印刷管理装置は、前記印刷装置の一時停止状態を取得する状態取得手段と、
前記状態取得手段により前記印刷装置の印刷一時停止状態を取得した場合に前記情報処理装置に通知する通知手段とを有し、
前記情報処理装置は、前記通知を受けた時に、前記表示手段にユーザの対するメッセージを表示し、
前記印刷装置は、前記検知手段により前記特定の状態が検知された場合には前記印刷装置の一時停止状態を解除する。
【手続補正４】
【補正対象書類名】明細書
【補正対象項目名】００１１
【補正方法】変更
【補正の内容】
【００１１】
本発明の一態様に係る印刷管理装置は以下のような構成を備える。即ち、
複数の情報処理装置及び印刷装置にネットワークを介して通信可能な印刷管理装置であって、
前記印刷装置の状態情報を取得する情報取得手段と、
前記情報取得手段により取得された前記印刷装置の状態情報が印刷一時停止状態である場合に、前記複数の情報処理装置から前記印刷装置への印刷要求に係るジョブ情報に基づいて、前記印刷装置からの情報を通知する情報処理装置を決定する決定手段と、
前記決定手段により決定された情報処理装置に前記印刷装置が印刷一時停止状態であることを通知する通知手段と、
を備える。
【手続補正５】
【補正対象書類名】明細書
【補正対象項目名】００１２
【補正方法】変更
【補正の内容】
【００１２】
本発明の一態様に係る印刷管理装置は以下のような構成を備える。即ち、
情報処理装置から受信した手差しコマンドを含むジョブを印刷装置へ送信する送信手段と、
前記印刷装置が印刷一時停止状態になった場合に、前記印刷装置のジョブ情報を取得する取得手段と、
前記取得手段により取得した前記印刷装置のジョブ情報に基づき前記情報処理装置に前記印刷装置の一時停止状態を通知する通知手段とを有する。
【手続補正６】
【補正対象書類名】明細書
【補正対象項目名】００１３
【補正方法】変更
【補正の内容】
【００１３】
本発明の一態様に係る情報処理装置は以下のような構成を備える。即ち、
手差しコマンドを含むジョブを印刷管理装置へ送信する送信手段と、
印刷管理装置からの通知を受信する受信手段とを有し、
前記印刷管理装置は、印刷装置が印刷一時停止状態になった場合に、前記印刷装置のジョブ情報を取得し、取得した印刷装置のジョブ情報に基づいて前記情報処理装置に前記印刷装置の一時停止状態を前記受信手段に通知する。
【手続補正７】
【補正対象書類名】明細書
【補正対象項目名】００１４
【補正方法】変更
【補正の内容】
【００１４】
本発明の一態様に係る情報処理装置は以下のような構成を備える。即ち、
印刷管理装置及び印刷装置にネットワークを介して通信可能な情報処理装置であって、
前記印刷管理装置から通知された前記印刷装置に関する状態情報を受信する通知受信手段と、
アプリケーションからの印刷要求を受けて、前記印刷装置で印刷すべき印刷データを生成する生成手段と、
前記生成手段により生成された印刷データを前記印刷装置で印刷する際に、前記通知受信手段から受信した状態情報が印刷一時停止状態である場合に、該印刷要求を発行したアプリケーションに対してイベントを発行するイベント発行手段とを備える。
【手続補正８】
【補正対象書類名】明細書
【補正対象項目名】００１５
【補正方法】変更
【補正の内容】
【００１５】
本発明の一態様に係る印刷システムの制御方法は以下のような構成を備える。即ち、
ネットワークを介して、情報処理装置と、印刷管理装置と、印刷装置が接続された印刷システムの制御方法であって、
前記情報処理装置は、特定コマンドを含む印刷ジョブを印刷管理装置へ送信するジョブ送信工程と、
表示手段とを有し、
前記印刷装置は、前記印刷管理装置から前記印刷ジョブを受信するジョブ受信工程と、
前記ジョブ受信工程が受信した印刷ジョブに特定コマンドが含まれるかを判別する判別工程と、
前記印刷装置の特定の状態を検知する検知手段と、
前記判別工程により前記印刷ジョブに前記特定コマンドが含まれると判別された場合には前記印刷装置を一時停止状態にする印刷制御工程と、
前記印刷管理装置は、前記印刷装置の一時停止状態を取得する状態取得工程と、
前記状態取得工程により前記印刷装置の印刷一時停止状態を取得した場合に前記情報処理装置に通知する通知工程とを有し、
前記情報処理装置は、前記通知を受けた時に、前記表示手段にユーザの対するメッセージを表示し、
前記印刷装置は、前記検知手段により前記特定の状態が検知された場合には前記印刷装置の一時停止状態を解除する。
【手続補正９】
【補正対象書類名】明細書
【補正対象項目名】００１６
【補正方法】変更
【補正の内容】
【００１６】
本発明の一態様に係る印刷管理装置の制御方法は以下のような構成を備える。即ち、
複数の情報処理装置及び印刷装置にネットワークを介して通信可能な印刷管理装置の制御方法であって、
前記印刷装置の状態情報を取得する情報取得工程と、
前記情報取得工程により取得された前記印刷装置の状態情報が印刷一時停止状態である場合に、前記複数の情報処理装置から前記印刷装置への印刷要求に係るジョブ情報に基づいて、前記印刷装置からの情報を通知する情報処理装置を決定する決定工程と、
前記決定工程により決定された情報処理装置に前記印刷装置が印刷一時停止状態であることを通知する通知工程と、
を備える。
【手続補正１０】
【補正対象書類名】明細書
【補正対象項目名】００１７
【補正方法】変更
【補正の内容】
【００１７】
本発明の一態様に係る印刷管理装置の制御方法は以下のような構成を備える。即ち、
情報処理装置から受信した手差しコマンドを含むジョブを印刷装置へ送信する送信工程と、
前記印刷装置が印刷一時停止状態になった場合に、前記印刷装置のジョブ情報を取得する取得工程と、
前記取得工程により取得した前記印刷装置のジョブ情報に基づき前記情報処理装置に前記印刷装置の一時停止状態を通知する通知工程とを有する。
【手続補正１１】
【補正対象書類名】明細書
【補正対象項目名】００１８
【補正方法】変更
【補正の内容】
【００１８】
本発明の一態様に係る情報処理装置の制御方法は以下のような構成を備える。即ち、
手差しコマンドを含むジョブを印刷管理装置へ送信する送信工程と、
印刷管理装置からの通知を受信する受信工程とを有し、
前記印刷管理装置は、印刷装置が印刷一時停止状態になった場合に、前記印刷装置のジョブ情報を取得し、取得した印刷装置のジョブ情報に基づいて前記情報処理装置に前記印刷装置の一時停止状態を前記受信工程に通知する。
【手続補正１２】
【補正対象書類名】明細書
【補正対象項目名】００１９
【補正方法】変更
【補正の内容】
【００１９】
本発明の一態様に係る情報処理装置の制御方法は以下のような構成を備える。即ち、
印刷管理装置及び印刷装置にネットワークを介して通信可能な情報処理装置の制御方法であって、
前記印刷管理装置から通知された前記印刷装置に関する状態情報を受信する通知受信工程と、
アプリケーションからの印刷要求を受けて、前記印刷装置で印刷すべき印刷データを生成する生成工程と、
前記生成工程により生成された印刷データを前記印刷装置で印刷する際に、前記通知受信工程から受信した状態情報が印刷一時停止状態である場合に、該印刷要求を発行したアプリケーションに対してイベントを発行するイベント発行工程とを備える。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】明細書
【補正対象項目名】００４６
【補正方法】削除
【補正の内容】
【手続補正４０】
【補正対象書類名】明細書
【補正対象項目名】００４７
【補正方法】削除
【補正の内容】
【手続補正４１】
【補正対象書類名】明細書
【補正対象項目名】００４８
【補正方法】削除
【補正の内容】
【手続補正４２】
【補正対象書類名】明細書
【補正対象項目名】００４９
【補正方法】削除
【補正の内容】
【手続補正４３】
【補正対象書類名】明細書
【補正対象項目名】００５０
【補正方法】削除
【補正の内容】
【手続補正４４】
【補正対象書類名】明細書
【補正対象項目名】００５１
【補正方法】削除
【補正の内容】
【手続補正４５】
【補正対象書類名】明細書
【補正対象項目名】００５２
【補正方法】削除
【補正の内容】
【手続補正４６】
【補正対象書類名】明細書
【補正対象項目名】００５３
【補正方法】削除
【補正の内容】
【手続補正４７】
【補正対象書類名】明細書
【補正対象項目名】００５４
【補正方法】削除
【補正の内容】
【手続補正４８】
【補正対象書類名】明細書
【補正対象項目名】００５５
【補正方法】削除
【補正の内容】
【手続補正４９】
【補正対象書類名】明細書
【補正対象項目名】００５６
【補正方法】削除
【補正の内容】
【手続補正５０】
【補正対象書類名】明細書
【補正対象項目名】００５７
【補正方法】削除
【補正の内容】
【手続補正５１】
【補正対象書類名】明細書
【補正対象項目名】００５８
【補正方法】削除
【補正の内容】
【手続補正５２】
【補正対象書類名】明細書
【補正対象項目名】００５９
【補正方法】削除
【補正の内容】
【手続補正５３】
【補正対象書類名】明細書
【補正対象項目名】００６０
【補正方法】削除
【補正の内容】
【手続補正５４】
【補正対象書類名】明細書
【補正対象項目名】００６１
【補正方法】削除
【補正の内容】
【手続補正５５】
【補正対象書類名】明細書
【補正対象項目名】００６２
【補正方法】削除
【補正の内容】
【手続補正５６】
【補正対象書類名】明細書
【補正対象項目名】００６３
【補正方法】削除
【補正の内容】
【手続補正５７】
【補正対象書類名】明細書
【補正対象項目名】００６４
【補正方法】削除
【補正の内容】
【手続補正５８】
【補正対象書類名】明細書
【補正対象項目名】００６５
【補正方法】削除
【補正の内容】
【手続補正５９】
【補正対象書類名】明細書
【補正対象項目名】００６６
【補正方法】削除
【補正の内容】
【手続補正６０】
【補正対象書類名】明細書
【補正対象項目名】００６７
【補正方法】削除
【補正の内容】
【手続補正６１】
【補正対象書類名】明細書
【補正対象項目名】００６８
【補正方法】削除
【補正の内容】
【手続補正６２】
【補正対象書類名】明細書
【補正対象項目名】００６９
【補正方法】削除
【補正の内容】
【手続補正６３】
【補正対象書類名】明細書
【補正対象項目名】００７０
【補正方法】削除
【補正の内容】
【手続補正６４】
【補正対象書類名】明細書
【補正対象項目名】００７１
【補正方法】削除
【補正の内容】
【手続補正６５】
【補正対象書類名】明細書
【補正対象項目名】００７２
【補正方法】削除
【補正の内容】
【手続補正６６】
【補正対象書類名】明細書
【補正対象項目名】００７３
【補正方法】削除
【補正の内容】
【手続補正６７】
【補正対象書類名】明細書
【補正対象項目名】００７４
【補正方法】削除
【補正の内容】
【手続補正６８】
【補正対象書類名】明細書
【補正対象項目名】００７５
【補正方法】削除
【補正の内容】
【手続補正６９】
【補正対象書類名】明細書
【補正対象項目名】００７６
【補正方法】削除
【補正の内容】
【手続補正７０】
【補正対象書類名】明細書
【補正対象項目名】００７７
【補正方法】削除
【補正の内容】
【手続補正７１】
【補正対象書類名】明細書
【補正対象項目名】００７８
【補正方法】削除
【補正の内容】
【手続補正７２】
【補正対象書類名】明細書
【補正対象項目名】００７９
【補正方法】削除
【補正の内容】
【手続補正７３】
【補正対象書類名】明細書
【補正対象項目名】００８０
【補正方法】削除
【補正の内容】
【手続補正７４】
【補正対象書類名】明細書
【補正対象項目名】００８１
【補正方法】削除
【補正の内容】
【手続補正７５】
【補正対象書類名】明細書
【補正対象項目名】００８２
【補正方法】削除
【補正の内容】
【手続補正７６】
【補正対象書類名】明細書
【補正対象項目名】００８３
【補正方法】削除
【補正の内容】
【手続補正７７】
【補正対象書類名】明細書
【補正対象項目名】００８４
【補正方法】削除
【補正の内容】
【手続補正７８】
【補正対象書類名】明細書
【補正対象項目名】００８５
【補正方法】削除
【補正の内容】
【手続補正７９】
【補正対象書類名】明細書
【補正対象項目名】００８６
【補正方法】削除
【補正の内容】
【手続補正８０】
【補正対象書類名】明細書
【補正対象項目名】００８７
【補正方法】削除
【補正の内容】
【手続補正８１】
【補正対象書類名】明細書
【補正対象項目名】００８８
【補正方法】削除
【補正の内容】
【手続補正８２】
【補正対象書類名】明細書
【補正対象項目名】０１８３
【補正方法】変更
【補正の内容】
【０１８３】
本発明のサーバ装置によれば、印刷装置から取得した情報に基づいて、複数の情報処理装置の中から、前記印刷装置からの情報を通知したい情報処理装置にだけ選択して通知することが可能になる。
【手続補正８３】
【補正対象書類名】明細書
【補正対象項目名】０１８４
【補正方法】変更
【補正の内容】
【０１８４】
本発明のサーバ装置によれば、印刷装置が受信した印刷データに関する情報及び印刷装置の状態情報に基づいて、通知したい情報処理装置を詳しく正確に決定することが可能になる。
【手続補正８４】
【補正対象書類名】明細書
【補正対象項目名】０１８５
【補正方法】変更
【補正の内容】
【０１８５】
本発明のサーバ装置によれば、印刷装置の状態が変化し、オフラインの状態になったという情報を取得すると、前記印刷装置からの情報を通知するようになるので、情報処理装置はオフライン状態を知ることが可能になる。
【手続補正８５】
【補正対象書類名】明細書
【補正対象項目名】０１８６
【補正方法】変更
【補正の内容】
【０１８６】
本発明のサーバ装置によれば、情報処理装置からジョブ情報を受信することで、そのジョブ情報と印刷装置からの情報から印刷データが送信可能かどうか正確に判断して、その印刷データを送出することが可能になる。
【手続補正８６】
【補正対象書類名】明細書
【補正対象項目名】０１８７
【補正方法】変更
【補正の内容】
【０１８７】
本発明のサーバ装置によれば、受信したジョブ情報を格納し、印刷装置からの情報と共に使用することにより、受け付けた印刷ジョブの状態を正確に管理しておくことが可能となる。
【手続補正８７】
【補正対象書類名】明細書
【補正対象項目名】０１８８
【補正方法】変更
【補正の内容】
【０１８８】
本発明のサーバ装置によれば、印刷が終了して不要になったサーバ装置内に格納されていたジョブ情報を削除することが可能になる。また、印刷終了時に削除することにより確実に印刷が行われることを確認することができる。
【手続補正８８】
【補正対象書類名】明細書
【補正対象項目名】０１８９
【補正方法】変更
【補正の内容】
【０１８９】
本発明のサーバ装置によれば、情報処理装置から受信したジョブ情報により印刷する順序を制御することが可能になる。
【手続補正８９】
【補正対象書類名】明細書
【補正対象項目名】０１９０
【補正方法】変更
【補正の内容】
【０１９０】
本発明のサーバ装置によれば、印刷装置から印刷が終了したジョブの情報を取得することにより、情報処理装置内に格納されている印刷データを削除することが可能になる。
【手続補正９０】
【補正対象書類名】明細書
【補正対象項目名】０１９１
【補正方法】変更
【補正の内容】
【０１９１】
本発明の情報処理装置によれば、サーバ装置から通知された情報を受信することが可能になり、イベント要求がなされているアプリケーションに対してイベントを発行することが可能になる。
【手続補正９１】
【補正対象書類名】明細書
【補正対象項目名】０１９２
【補正方法】変更
【補正の内容】
【０１９２】
本発明の情報処理装置によれば、手差しで印刷する印刷データを生成するときに該印刷データにオフライン状態にするコマンドを付加して送信することにより、手差し印刷をする前に印刷装置をオフラインの状態にして印刷を一時停止することが可能になる。
【手続補正９２】
【補正対象書類名】明細書
【補正対象項目名】０１９３
【補正方法】変更
【補正の内容】
【０１９３】
本発明の情報処理装置によれば、オフライン状態にするコマンドが付加された印刷データを受け取ったときに、必ずオフラインの状態になる第１のモード、もしくは、手差しトレイに記録媒体がない場合はオフラインの状態になり手差しトレイに記録媒体がある場合はオフライン状態にならずに該記録媒体に記録する第２のモードを選択することが可能な印刷装置に対し、どちらのモードで印刷させるか選択するコマンドを付加して印刷データを送ることが可能になる。
【手続補正９３】
【補正対象書類名】明細書
【補正対象項目名】０１９４
【補正方法】変更
【補正の内容】
【０１９４】
本発明の情報処理装置によれば、手差しのタイミングをユーザに示すことが可能になる。
【手続補正９４】
【補正対象書類名】明細書
【補正対象項目名】０１９５
【補正方法】変更
【補正の内容】
【０１９５】
本発明の情報処理装置によれば、サーバ装置にはジョブ情報を送信するだけでよく、印刷データは直接印刷装置に送信するので、ネットワークのトラフィックを減少させることが可能になる。
【手続補正９５】
【補正対象書類名】明細書
【補正対象項目名】０１９６
【補正方法】変更
【補正の内容】
【０１９６】
本発明の情報処理装置によれば、印刷が終了するまで印刷データを格納しておくことにより、印刷が確実に行われるようにすることが可能になる。
【手続補正９６】
【補正対象書類名】明細書
【補正対象項目名】０１９７
【補正方法】変更
【補正の内容】
【０１９７】
本発明の印刷システムによれば、サーバ装置は印刷装置から取得した情報に基づいて、複数の情報処理装置の中から、前記印刷装置からの情報を通知したい情報処理装置にだけ通知でき、情報処理装置はその通知された情報を受信し、イベント要求がなされているアプリケーションに対してイベントを発行することが可能になる。
【手続補正９７】
【補正対象書類名】明細書
【補正対象項目名】０１９８
【補正方法】変更
【補正の内容】
【０１９８】
本発明の印刷システムによれば、印刷装置が受信した印刷データに関する情報及び印刷装置の状態情報に基づいて、通知したい情報処理装置を詳しく正確に決定することが可能になる。
【手続補正９８】
【補正対象書類名】明細書
【補正対象項目名】０１９９
【補正方法】変更
【補正の内容】
【０１９９】
本発明の印刷システムによれば、手差しのタイミングをユーザに示すことが可能になる。
【手続補正９９】
【補正対象書類名】明細書
【補正対象項目名】０２００
【補正方法】変更
【補正の内容】
【０２００】
本発明の印刷システムによれば、手差しで印刷する印刷データを生成するときに該印刷データにオフライン状態にするコマンドを付加して送信することにより、手差し印刷をする前に印刷装置をオフラインの状態にして印刷を一時停止することが可能になる。
【手続補正１００】
【補正対象書類名】明細書
【補正対象項目名】０２０１
【補正方法】変更
【補正の内容】
【０２０１】
本発明の印刷システムによれば、オフラインの状態になるコマンドが付加された印刷データを印刷しようとしたときに、印刷装置の状態に関わらず必ずオフラインにすることが可能になる。
【手続補正１０１】
【補正対象書類名】明細書
【補正対象項目名】０２０２
【補正方法】変更
【補正の内容】
【０２０２】
本発明の印刷システムによれば、オフラインの状態になるコマンドが付加された印刷データを印刷しようとしたときに、手差しトレイに記録媒体がない場合はオフラインの状態になり、手差しトレイに記録媒体がある場合はオフライン状態にならずに該記録媒体に記録することが可能となる。
【手続補正１０２】
【補正対象書類名】明細書
【補正対象項目名】０２０３
【補正方法】変更
【補正の内容】
【０２０３】
本発明の印刷システムによれば、印刷装置がオフライン状態にするコマンドが付加された印刷データを受け取ったときに、必ずオフラインの状態になる第１のモードと、手差しトレイに記録媒体がない場合はオフラインの状態になり手差しトレイに記録媒体がある場合はオフライン状態にならずに該記録媒体に記録する第２のモードとを備える印刷装置に対し、どちらのモードで印刷させるかユーザの要望により選択することが可能になる。
【手続補正１０３】
【補正対象書類名】明細書
【補正対象項目名】０２０４
【補正方法】変更
【補正の内容】
【０２０４】
本発明の印刷システムによれば、印刷装置の状態が変化し、オフラインの状態になったという情報を取得すると、前記印刷装置からの情報を通知するようになるので、情報処理装置はオフライン状態を知ることができ手差しタイミングの情報を通知することが可能になる。
【手続補正１０４】
【補正対象書類名】明細書
【補正対象項目名】０２０５
【補正方法】変更
【補正の内容】
【０２０５】
本発明の印刷システムによれば、サーバ装置にはジョブ情報を送信するだけでよく、印刷データは直接印刷装置に送信するので、ネットワークのトラフィックを減少させることが可能になる。また、情報処理装置に印刷データ、サーバ装置にジョブ情報を格納して、印刷装置からの情報と共に使用することにより、受け付けた印刷ジョブの状態を正確に管理しておくことが可能となる。
【手続補正１０５】
【補正対象書類名】明細書
【補正対象項目名】０２０６
【補正方法】変更
【補正の内容】
【０２０６】
本発明の印刷システムによれば、サーバ装置が情報処理装置から受信したジョブ情報により印刷する順序を制御することが可能になる。
【手続補正１０６】
【補正対象書類名】明細書
【補正対象項目名】０２０７
【補正方法】変更
【補正の内容】
【０２０７】
本発明の印刷システムによれば、情報処理装置から受信したジョブ情報と印刷装置からの情報から印刷データが送信可能かどうか正確に判断して、その印刷データを送出することが可能になる。また、本発明の印刷システムによれば、印刷が終了するまで、サーバ装置にジョブ情報を格納し、情報処理装置に印刷データを格納しておくことにより、確実に印刷を行うことが可能になる。
【手続補正１０７】
【補正対象書類名】明細書
【補正対象項目名】０２０８
【補正方法】変更
【補正の内容】
【０２０８】
【発明の効果】
本発明によれば、ネットワーク環境下で、ユーザが手差し印刷を行う場合などにおいて、特定のユーザに細かな印刷情報を伝えることが可能となる。また、印刷ジョブに手差しコマンドあるいは印刷を一時停止状態にするオフラインコマンドを含めることで、印刷装置を一時停止状態にすることも可能である。また、どのクライアントコンピュータからの手差し印刷であるかの情報を得ることも可能である。また、クライアントコンピュータのアプリケーションが手差しのタイミングを示すイベント要求を受け取ることも可能である。